(57)【要約】【課題】見る人が手に持ってめくって行く複数枚の小さなカードの原理を発展させ、見る人の介在なしに続けて数画像を表示できるようにした画像表示装置を提案する。【解決手段】ｎ数の画像Ｂ１．．ｊ．．ｎを表示することを目的とし、この各画像Ｂ１．．ｊ．．ｎはｚ数の直線状画像構造ＢＡ１．．ｊ．．ｎ，ｌ．．ｉ．．ｚに分解されており、この画像構造ＢＡｊ．ｉは同一のインデックスＩをもって画像担体Ｔ上に互いに平行に群Ｇ１．．ｉ．．ｚに並べられかつこの群Ｇ１．．ｉ．．ｚがインデックスｉ列で続いて並べられ、各群Ｇ１．．ｉ．．ｚが長手方向光学要素Ｅ１．．ｉ．．ｚと共同し、駆動手段が上記の画像担体Ｔと上記の要素Ｅ１．．ｉ．．ｚとを上記の画像構造ＢＡ１．．ｊ．．ｎ，ｌ．．ｉ．．ｚの長手方向の延長を横切り互いに相対的に移動させる。【選択図】　　図１
2004069817.tif 000002
【特許請求の範囲】
【請求項１】
ｎ数の画像Ｂ１．．ｊ．．ｎを表示することを目的とし、この各画像Ｂ１．．ｊ．．ｎはｚ数の直線状画像構造ＢＡ１．．ｊ．．ｎ，ｌ．．ｉ．．ｚに分解されており、この画像構造ＢＡｊ．ｉは同一のインデックスＩをもって画像担体Ｔ上に互いに平行に群Ｇ１．．ｉ．．ｚに並べられかつこの群Ｇ１．．ｉ．．ｚがインデックスｉ列で続いて並べられ、各群Ｇ１．．ｉ．．ｚが長手方向の光学要素Ｅ１．．ｉ．．ｚと共同し、駆動手段が上記の画像担体Ｔと上記の要素Ｅ１．．ｉ．．ｚとを上記の画像構造ＢＡ１．．ｊ．．ｎ，ｌ．．ｉ．．ｚの長手方向の延長を横切り互いに相対的に移動させることを特徴とする画像表示装置。
【請求項２】
光学要素がレンズ、レンズ系および／またはスリットである請求項１記載の画像表示装置。
【請求項３】
相対的に特に２端位置間に移動させる駆動手段が少なくとも一中間位置で中断され、該中間位置での特定の画像が表示される請求項２記載の画像表示装置。
【請求項４】
相対的な移動の中断が所定の時間なされる請求項３記載の画像表示装置。
【請求項５】
各画像にはそれぞれの時間が与えられ、当該画像が表示されると共に相対的な移動が該時間だけ中断される請求項４記載の画像表示装置。
【請求項６】
相対的な移動のそれぞれの中断が任意抽出方式の発生手段によって該時間なされる請求項３記載の画像表示装置。
【請求項７】
画像担体が固定して設けられ、駆動手段が光学要素を移動させる請求項１記載の画像表示装置。
【請求項８】
光学要素が固定して設けられ、駆動手段が画像担体を動かす請求項１記載の画像表示装置。
【請求項９】
数列の画像が共通の画像担体上に収納され、別の駆動手段または相対的な移動のための駆動手段によって一列の画像が選択的にまたは続けて光学要素の後方の位置に動かされる請求項１記載の画像表示装置。
【請求項１０】
画像担体が可撓性材料でなる請求項９記載の画像表示装置。
【請求項１１】
画像担体がエンドレス・テープ形状であって、２個のローラーをめぐって駆動手段によって回り、選択する一個の画像列が駆動手段によって光学要素の後方の位置に移動できる請求項９又は請求項１０記載の画像表示装置。
【請求項１２】
画像担体がその一端でローラーに固定され、駆動手段によってローラーを回転して、一方のローラーを巻き上げリールとして働かせて、画像列の選択した一つが駆動手段によって光学要素の後方の位置に移動される請求項９または請求項１０記載の画像表示装置。
【請求項１３】
画像担体または光学要素が可動的に装架され、カム型駆動手段が相対的な運動を生じて、画像担体または光学要素の何れかが動かされる請求項１にて記載される画像表示装置。
【請求項１４】
一方向への最大の相対的な運動が、ｚから１を引いた（ｚ−１）画像構造の幅に等しい請求項３記載の画像表示装置。
【請求項１５】
少なくとも一個の照明源が画像担体を照明する請求項１記載のる画像表示装置。
【請求項１６】
画像担体が光線を透過可能で、少なくとも一個の照明手段が背後から画像担体を照明する請求項１記載の画像表示装置。
【請求項１７】
装置が大きなプロジェクターの形状、例えば短フィルムおよび／または複数の個別体画像を表示するポスターパネルをなす請求項１記載の画像表示装置。
【発明の詳細な説明】
【０００１】
【発明の属する技術分野】
本発明は、ｎ数の画像Ｂ１．．ｊ．．ｎを表示するための装置に関するものあり、各画像Ｂ１．．ｊ．．ｎはＺ数の線状画像構造ＢＡ１．．ｊ．．ｎ，ｌ．．ｉ．．ｚに分解されており、画像構造ＢＡｊ．ｉは連続する列のインデックスｉにより並べられた群Ｇ１．．ｉ．．ｚの画像担体Ｔ上に互いに平行に同一のインデックスｉにより整列されており、従って各群Ｇ１．．ｊ．．ｚは長い光学要素Ｅ１．．ｊ．．ｚに割り当てられることになる。
【０００２】
【従来の技術】
このような装置は、見る人が手に持ってめくって行く複数枚の小さなカードとして広く知られているもので、動かすと続けて異なる画像あるいは真に短いフィルムの形状の画像の列を表示する。カードの動き即ち見る人の見る角度が変わることによって、カードの表面が変わる。
【０００３】
画像または画像担体と一緒になった固い一般には糊付け構成をなすレンズ形状の光学要素が、上記したように光線を与えるので、各観察角度で見る人はただ一個の画像または画像転換時の隣り合う２個の画像しか見ることができない。
【０００４】
この種のカードは廉価なものなので、比較的僅かな画像のみ、または５〜１０の画像からなる短い画像連しか表示できない。
【０００５】
更にまた、これらは携行用の小さい形のカードで手に持った時にしか見ることができないので、大半のものがお粗末な品質のものである。この様に小さいサイズで品質もかようなものなので、これらが今日広告用に使われることは少ない。
【０００６】
【発明が解決しようとする課題】
この発明の目的は、上記したカードの原理を発展させて、見る人の介在なしに続けて数画像を表示できる装置にすることにある。
【０００７】
この目的は、本発明において、請求項１記載の特徴を装置に持たせることによって達成される。この特徴を備えかつ従属の請求項によって更に有利な実施の態様が得られる。
【０００８】
【課題を解決するための手段】
画像担体と光学要素をうまく離すことにより、駆動手段によってこの２者を相対的に動かすことが可能になる。このようにすると、見る人自身が装置を動かしたり、装置に対しての見る位置または角度を変える必要がなくなる。
【０００９】
見る人の手の中に置かないでもよいので、装置の大きさを相当に大きくすることが出来る。従って、例えばポスターパネルとして使用できるような大きな表示面を作り出すことができる。
【００１０】
光学要素の形状と種類並びにそれらの画像担体からの距離は、原則として全く自由であるが、見る人が一つの画像または画像転換時の画像のみを見るようにしなければならない。これは、この分野で知られる線状レンズシステムを用いることにより達成できる。勿論、その代わりに、特定の画像の画像構造を見ることができるようにする対応する光伝導体を用いることもできる。また、光学要素を、各光学要素の幅上で線状画像構造が拡大され、しかも光学要素が画像を見る妨げにならないように線状レンズとすることも考えられる。
【００１１】
なお、要素または画像担体を画像構造の長手方向の延長に対して縦方向に動かして、画像担体と要素との間に相対的な運動を生じさせてもよい。この相対的な運動は、例えばカム式駆動手段を使って画像担体あるいは光学要素を２位置間で往復動させることによって作ってもよい。
【００１２】
更にまた、画像担体または光学要素の動きを画像構造と平行に伸展する真っ直ぐなスリットによって作ってもよく、この場合には軸を中心に回転するピンをこのスリットに係合させ、ピンの回転によって画像担体又は光学要素を画像構造の長手方向の延長に対して縦方向に動かす。
【００１３】
フィルムとして画像を表示することなく、画像担体上に個別の画像を長い時間スパンで表示したい場合には、ある一つの画像を表示する毎に上記した相対的な運動を停めればよい。インターバル、即ち相対的な運動がない時間は、特定な画像を画像担体上に見る人が見える時間と決めればよい。また、数種の画像が表示されるポスターパネルを作るには、装置を使って隣接する画像が表示されるように、比較的短い相対的な運動によって個別の画像が表示される時間を短くする。今までのポスター表示器では、表示デスプレイを替える時間は比較的に長いことを考えると、これは本発明の利点である。
【００１４】
本発明の装置によって数多くの画像を表示できるようにするために、画像担体を特別に可撓性の材料で作ってもよく、この場合には担体は供給リール上に巻いたり、巻き戻したりして、上下に重なって収納された数群の画像を順次に光学手段の後ろに動かしあるいは進めることが出来る。
【００１５】
さらに、画像担体をエンドレスなループとすることもできる。この場合には、それぞれ収納された数個の画像を、群毎に画像担体上にそろえ、駆動機構によってドラムを回転させて、その中の一つの群を光学要素の後方にもたらすことができる。この様な実施例の場合には、マーキングを画像担体上にきちんと付けて、微調節できるようにし、常に正しい画像が正しい時に正しい時間にわたって装置によって表示されるようにする。
【００１６】
暗くてもまたは見にくい状況下でも表示できるように、画像担体を照らす照明手段を設けると好都合である。かかる照明は光学要素によって提供されてもよい。または、照明手段が光学要素と画像担体との間の空間を照明するようにしても良い。画像担体自身が透明な場合には、照明手段を画像担体の後方に勿論設けてもよい。従って、照明手段の形状とその設け方は、装置自体がいかに設計されているかによって一々異なることになる。
【００１７】
【発明実施の形態】
本発明による異なる種々の実施例の代表例を、以下に図面を参照して更に詳しく説明する。
【００１８】
図１は、本発明になる基本的な構成の装置を図示する。
【００１９】
図２は、本発明になる装置の一部の断面を図示する。
【００２０】
図３は、光学要素が画像担体に対してカム型駆動によって動かされる本発明による装置を図示する。
【００２１】
図４は、画像担体が固定の光学要素に対してカム型駆動によって前後進する別の態様を図示する。
【００２２】
図５は、本発明による更に別の態様の装置を示し、この実施の態様では、画像担体がエンドレスなループ状に形成され、駆動源（図示せず）によって２個のローラーの間で循環して、画像担体と光学要素との間の相対的な運動は駆動ローラーによって生じる。
【００２３】
図６は、本発明による更に別の態様の装置を示し、画像担体はエンドレスなループに形成され、このループは２個のローラーの間を周り、２個の光学要素と画像担体との間の相対的な運動は、光学要素を駆動するカム型駆動によって生成される。
【００２４】
図７は、本発明による装置の更に別に可能な実施例を図示し、画像担体はその端がローラーに固定されたテープ状に構成され、このローラーをそれぞれ巻き出し、巻き上げローラーとして働かせて、光学要素と画像担体との間の相対的な運動が光学要素のカム型駆動によって生成されるものである。
【００２５】
図１は本発明による装置の基本的な構成を示すものであり、画像担体Ｔ上に群Ｇ１．．ｉ．．ｚが互いに平行に並べられている。線状の光学要素Ｅ１．．ｉ．．ｚは各群と対応し、これらの光学素子Ｅ１．．ｉ．．ｚが光学手段Ｏを形成する。
【００２６】
図２に図示される通り、各群Ｇ１．．ｉ．．ｚは互いに平行に並べられた数個の画像構造ＢＡを含んでいる。各群Ｇ１またはＧ２はそれぞれ４個の画像構造からなる。この画像構造ＢＡ１，１と画像構造ＢＡ１，２は抜粋か全体であり、同一の画像をなすものである。画像構造ＢＡ１，１．．ｉ．．ｚを互いに並んで置くと、画像Ｂ１が得られる。光学素子Ｅ１は群Ｇ１の画像構造ＢＡを選択する役割をなす。
【００２７】
図２において示される通り、画像素子Ｅ１は、本装置を直角に射る光束を画像構造ＢＡ２，１へまとめる。従って、光線１’は光学素子Ｅ２によってまとめられて、視者は画像構造ＢＡ２，２のみを見ることになる。
【００２８】
画像担体Ｔに対しての光学素子Ｅ１とＥ２との間の相対的な動きによって、入射または発せられる光線は同一の単一画像に属するそれぞれの画像構造ＢＡにのみ集中される。画像担体へ与えられる画像構造の解像力と光学機器の形式によっては、それぞれに４個以上の画像を収めることが出来る。
【００２９】
図３においては、本発明になる装置の改変例が示されている。この改変例では、画像担体Ｔはカム型駆動２の軸３に対して固定して設けられ、カム２の回転によって、画像要素Ｅまたは光学手段Ｏは運動方向に従って上下する。このようにして、異なる画像が順次に表示される。
【００３０】
図４で示される実施例においては、光学手段Ｏはカム型駆動３’，２’に対して固な形状に配置され、カム型駆動が矢符の方向で画像担体Ｔを上下に動かす。
【００３１】
図５と図６では更に他の実施態様の本発明による装置が図示されており、画像担体Ｔはエンドレスなループ状に構成され、ローラー４の周りを回る。この場合、画像担体Ｔはローラー４の一方または双方の駆動によって光学要素に対して移動する。画像担体上に複数の画像連を収納し、その中の一つの例を選択的に光学手段Ｏの後方の位置に移動することができる。
【００３２】
図５に示した通りに、光学手段Ｏと画像担体Ｔとの間の相対的な運動は、ローラー４の駆動によってつくられる。矢符Ｒ’で示されるところである。
【００３３】
図６による実施例の場合には、相対的な運動Ｒ’は追加のカム型駆動Ｄ，Ｎによって生じる。
【００３４】
図７の本発明による更に他の実施態様の装置では、画像担体１０は可撓性の材料になり、テープ状に形成されている。複数の画像列が収納され、画像担体上に隣接して並べられており、選択した特定の画像列をローラー６，９駆動により光学手段Ｏまたは光学要素Ｅの後ろの位置へ動かすことができる。案内ローラー７，８が、画像担体１０が常に光学要素Ｅから同一の距離を保つようにする。画像担体１０に照明手段ＢＥが設けられている時には、それを透明な材料でつくる。この照明手段ＢＥは画像担体１０を後ろから光線Ｌで照明するので、コントラストが大で明るいデスプレイ装置が提供されることになる。光学手段Ｏと画像担体１０の間の相対的な運動はローラー８，９駆動またはカム型運動Ｎ’によってつくられる。
【００３５】
本発明による装置の容器の形状、寸法は自由に目的に合せて設計できるので、図１〜図７において、装置の容器と外装は敢えて図示しなかった。
【００３６】
その時々の画像担体の運動コースとそのための光学手段と画像担体との間の相対的な運動を規制するコントロール用コンピューターを、装置に設けることも出来ることは、勿論のことである。
【００３７】
更にまた、装置に受信手段を設けて、遠隔操作、制御することもできる。特に、照明を周囲の状況または明るさ（夕方や日の出）によって切ったり、点けたり、または光度を調節したりすることも、勿論できる。
【００３８】
【発明の効果】
本発明は上述のようにしてなり、画像担体と光学要素を効果的に離すことにより、駆動手段によってこの二者を相対的に動かすことができるので、見る人自身が装置を動かしたり、装置に対しての見る位置または角度を変える必要がなくなるのである。
【００３９】
しかも、見る人の手の中に置かないでもよいので、装置の大きさを相当に大きくすることができ、例えばポスターパネルとして使用できるような大きな表示面を作り出すことが可能となる。
【図面の簡単な説明】
【図１】本発明による基本的な構成の装置の説明図である。
【図２】本発明による装置の一部の断面図である。
【図３】光学要素が画像担体に対してカム型駆動によって動かされる本発明による装置の説明図である。
【図４】図４は、画像担体が固定の光学要素に対してカム型駆動によって前後進する別の態様を図示する説明図である。
【図５】本発明による更に別の態様の装置を示す説明図である。
【図６】本発明による更に別の態様の装置を示す説明図である。
【図７】本発明による装置の更に別に可能な実施例を示す説明図である。
【符号の説明】
Ｔ−画像担体
Ｏ−光学手段
Ｂ−画像
ＢＡ−画像構造
Ｅ−光学素子
Ｇ−群
Ｉ−インデックス
ＢＥ−照明手段
１−光線
２−カム
３−カム軸
４−ローラー
６−ローラー
７−ローラー
８−ローラー
９−ローラー
１０−画像担体
【図１】
2004069817.tif 000003
【図２】
2004069817.tif 000004
【図３】
2004069817.tif 000005
【図４】
2004069817.tif 000006
【図５】
2004069817.tif 000007
【図６】
2004069817.tif 000008
【図７】
2004069817.tif 000009